(57)【要約】【課題】海苔養殖に供する海苔網として要求される耳綱と半目糸の縫着部においての耐久性及び一体の網としてのフレキシブルさを兼ね備え、網製造効率の良い有結節の海苔網及びその縫着方法を提供する。【解決手段】編網された有結節網の網地の半目糸を耳綱に縫着した海苔網及び縫着する方法において、該網地の半目糸が該耳綱に、千鳥縫合、線縫合及び半目糸に対する巻き縫合を組み合わせた縫着パターンでミシン縫いされていることを特徴とする有結節の海苔網及びその縫着方法。【選択図】図１
2014198031.tif 000002
【特許請求の範囲】
【請求項１】
編網された有結節網の網地の半目糸を耳綱に縫着した海苔網において、該網地の半目糸が該耳綱に、千鳥縫合、線縫合及び半目糸に対する巻き縫合を組み合わせた縫着パターンでミシン縫いされていることを特徴とする有結節の海苔網。
【請求項２】
前記千鳥縫合、線縫合及び半目糸に対する巻き縫合を組み合わせた縫着パターンの巻き縫合が、連続した針落ち点３つを有し、該針落ち点が耳綱、半目糸の傍ら、半目糸の反対側の傍らの順番になされていることを特徴とする請求項１に記載の有結節の海苔網。
【請求項３】
前記半目糸は同一菱目の２辺からなり、該半目糸に対する巻き縫合が、半目糸各辺に独立して施されていることを特徴とする請求項１又は２に記載の有結節の海苔網。
【請求項４】
前記半目糸の巻き縫合において、巻き回数が縫着一箇所につき３〜８回であることを特徴とする請求項１〜３のいずれか一つに記載の有結節の海苔網。
【請求項５】
編網された有結節網の網地の半目糸を耳綱に縫着する方法において、千鳥縫合、線縫合及び半目糸に対する巻き縫合を組み合わせた縫着パターンがプログラムされたミシンを使用して、該網地の半目糸を該耳綱に該縫着パターンでミシン縫いし、該ミシン縫いによって網地の半目糸を耳綱に縫着することを特徴とする有結節の海苔網の縫着方法。
【請求項６】
耳綱、半目糸の傍ら、半目糸の反対側の傍らの３点を順番に連続して針落ちするような巻き縫合の動作が組み込まれた、前記千鳥縫合、線縫合及び半目糸に対する巻き縫合を組み合わせた縫着パターンがプログラムされたミシンを使用することを特徴とする請求項５に記載の有結節の海苔網の縫着方法。
【請求項７】
前記半目糸に対する巻き縫合の動作は、同一菱目の２辺からなる半目糸の各辺に対して独立して施されることを特徴とする請求項５又は６に記載の有結節の海苔網の縫着方法。
【請求項８】
前記半目糸の巻き縫合の動作は、縫着一箇所につき３〜８回巻かれることを特徴とする請求項５〜７いずれか一つに記載の有結節の海苔網の縫着方法。
【発明の詳細な説明】
【技術分野】
【０００１】
本発明は、海苔養殖に使用する編網された有結節網の網地の半目糸を耳綱に縫着した有結節の海苔網及びその縫着方法に関する。
【背景技術】
【０００２】
有結節の海苔網は、網全体外枠を形作る耳綱とその内側の有結節網の網地から構成され、耳綱との接合部分となる網地最外周部分の網目外側糸（菱形の目の外側２辺）は、半目糸と呼ばれる。その有結節の海苔網の製造手順としては、網地と耳綱を各々別々に作成し、耳綱に半目糸を縫着して一体の網として仕立てるものである。
【０００３】
そして、海苔網は、海苔養殖に使用される際、網地部分等に海苔の葉体が付着した状態で養殖期間中の数ヶ月間海域に設置されることになるので、海苔網は波浪による負荷を受け、特に耳綱と半目糸の縫着部への負荷は多方向且つ高いものとなり、耳綱と半目糸の縫着部において耐久性の高い海苔網が強く望まれている。
【０００４】
また、海苔養殖に供される海苔網において、強度・耐久性に加え要求される重要な性状として、一体の網としてのフレキシブルさが挙げられる。このフレキシブルさを欠くと、養殖作業上のハンドリングの悪さ、そして、波浪による負荷を受け流すことができず網の破断を引き起こす事はもとより、自然な海水流に対し隔たりを生じさせるので海苔生育を悪化させることになる。
【０００５】
従来の技術として、特許文献１には、網地本体の両端縁部に縁ロープを組み付けることが提案されている。しかし、この技術は、網地縁部の撚糸が縁ロープを単に素通りしているだけであるから、この接合部分の耐久性は海苔網として不十分である。
特許文献２には、前記特許文献１の耐久性を改善する目的で、網地本体を構成するストランドが縁ロープを構成するストランドと交差しつつ貫通して編網された網が提案されているが、編網構成の複雑化に伴う網製造効率の低下をまねき、接合部分の耐久性も未だ十分ではない。
また、特許文献３には、網製造効率の改善をはかるために、口付け糸を網地に結束することができる口付け糸の結束方法及び口付け糸付き漁網が提案されている。しかし、この技術は、口付け糸に対してミシン糸で巻くようにかがり縫いされているので網地が多点で固定された状態となっているため、海苔網用途に必要な一体の網としてのフレキシブルさを満たしたものではなかった。
【先行技術文献】
【特許文献】
【０００６】
【特許文献１】実開昭５９−２４７９２号公報（実用新案登録請求の範囲等）
【特許文献２】特開平６−３１９４１１号公報（特許請求の範囲等）
【特許文献３】特開２０００−２７９６７２号公報（特許請求の範囲等）
【発明の概要】
【発明が解決しようとする課題】
【０００７】
本発明は、上記従来の課題及び現状等に鑑み、これを解決しようとするものであり、海苔養殖に供する海苔網として要求される耳綱と半目糸の縫着部においての耐久性及び一体の網としてのフレキシブルさを兼ね備え、網製造効率の良い有結節の海苔網及びその縫着方法を提供することを目的としている。
【課題を解決するための手段】
【０００８】
本発明者らは、上記従来の課題及び現状を解決するために、鋭意検討した結果、千鳥縫合、線縫合及び半目糸に対する巻き縫合を組み合わせた縫着パターンを採用することで耳綱と半目糸の縫着部の柔軟性を失うことなく強度向上を図ることができ、海苔網製造の作業性の低下もまねかないことを予想外に発見し、海苔網に要求される性状（耳綱と半目糸の縫着部においての耐久性及び一体の網としてのフレキシブルさ）を付加した本発明（有結節の海苔網及びその縫着方法）を完成するに至ったのである。
【０００９】
すなわち、本発明は、次の（１）〜（８）に存する。
（１）  編網された有結節網の網地の半目糸を耳綱に縫着した海苔網において、該網地の半目糸が該耳綱に、千鳥縫合、線縫合及び半目糸に対する巻き縫合を組み合わせた縫着パターンでミシン縫いされていることを特徴とする有結節の海苔網。
（２）  前記千鳥縫合、線縫合及び半目糸に対する巻き縫合を組み合わせた縫着パターンの巻き縫合が、連続した針落ち点３つを有し、該針落ち点が耳綱、半目糸の傍ら、半目糸の反対側の傍らの順番になされていることを特徴とする（１）に記載の有結節の海苔網。
（３）  前記半目糸は同一菱目の２辺からなり、該半目糸に対する巻き縫合が、半目糸各辺に独立して施されていることを特徴とする（１）又は（２）に記載の有結節の海苔網。
（４）  前記半目糸の巻き縫合において、巻き回数が縫着一箇所につき３〜８回であることを特徴とする（１）〜（３）のいずれか一つに記載の有結節の海苔網。
（５）  編網された有結節網の網地の半目糸を耳綱に縫着する方法において、千鳥縫合、線縫合及び半目糸に対する巻き縫合を組み合わせた縫着パターンがプログラムされたミシンを使用して、該網地の半目糸を該耳綱に該縫着パターンでミシン縫いし、該ミシン縫いによって網地の半目糸を耳綱に縫着することを特徴とする有結節の海苔網の縫着方法。
（６）  耳綱、半目糸の傍ら、半目糸の反対側の傍らの３点を順番に連続して針落ちするような巻き縫合の動作が組み込まれた、前記千鳥縫合、線縫合及び半目糸に対する巻き縫合を組み合わせた縫着パターンがプログラムされたミシンを使用することを特徴とする（５）に記載の有結節の海苔網の縫着方法。
（７）  前記半目糸に対する巻き縫合の動作は、同一菱目の２辺からなる半目糸の各辺に対して独立して施されることを特徴とする（５）又は（６）に記載の有結節の海苔網の縫着方法。
（８）  前記半目糸の巻き縫合の動作は、縫着一箇所につき３〜８回巻かれることを特徴とする（５）〜（７）いずれか一つに記載の有結節の海苔網の縫着方法。
【発明の効果】
【００１０】
本発明によれば、海苔養殖に供する海苔網として要求される耳綱と半目糸の縫着部においての耐久性及び一体の網としてのフレキシブルさを兼ね備え、網製造効率の良い有結節の海苔網及びその縫着方法が提供される。
【図面の簡単な説明】
【００１１】
【図１】本発明の有結節の海苔網において、海苔閂止めミシンで縫着する際の半目糸と耳綱の位置関係の一例を示す斜視図である。
【図２】図１を正面から見た図である。
【図３】（ａ）〜（ｅ）は、海苔閂止めミシンの針落ちパターン形状の各例を示した平面図である。
【図４】本発明の一実施形態の縫着である千鳥縫合、線縫合及び半目糸に対する巻き縫合を組み合わせた縫着パターンでミシン縫いされた半目糸と耳綱を示す図である。
【図５】本発明の一実施形態の縫着である千鳥縫合、線縫合及び半目糸の各辺に対する独立した巻き縫合を組み合わせた縫着パターンでミシン縫いされた半目糸と耳綱を示す図である。
【発明を実施するための形態】
【００１２】
以下に、本発明の実施形態を、図面等を用い詳しく説明する。
本発明は、編網された有結節網の網地の半目糸を耳綱に縫着した海苔網において、該網地の半目糸が該耳綱に、千鳥縫合、線縫合及び半目糸に対する巻き縫合を組み合わせた縫着パターンでミシン縫いされていることを特徴とする有結節の海苔網、そして、千鳥縫合、線縫合及び半目糸に対する巻き縫合を組み合わせた縫着パターンがプログラムされたミシンを使用して、該網地の半目糸を該耳綱に該縫着パターンでミシン縫いし、該ミシン縫いによって網地の半目糸を耳綱に縫着することを特徴とする有結節の海苔網の縫着方法である。
【００１３】
本発明の作用としては、編網された有結節網地の同一菱目の２辺となる半目糸２本を同時に耳綱の１箇所に縫着する際、１本の縫糸によりある特定の一定縫着自動パターンでミシン縫いするものであり、それを網の長手方向に同様に繰り返す作業となるので、複雑な作業工程を必要とせず製造効率の低下をまねかない。そして、この様なシンプルな縫着作業を行う中で、本発明の有結節の海苔網は、必須構成となる千鳥縫合、線縫合及び半目糸に対する巻き縫合を組み合わせた縫着パターンを採用するので、耳綱と半目糸の縫着部の柔軟性を失うことなく強度向上を図ることができ、海苔網に要求される性状（耳綱と半目糸の縫着部においての耐久性及び一体の網としてのフレキシブルさ）を付加することができるものと考えられる。
【００１４】
本発明の縫着とは、各々別々に製造された有結節網の網地と耳綱を一つの網として仕立てる際に、網地の半目糸と耳綱を海苔網閂止めミシンで縫い付け接合することを意味し、半目糸は同一菱目の２辺をなすので、該２辺１組が同一縫着箇所に縫い付けられ、通常海苔網（幅約２ｍ、長さ約２０ｍ）１枚につき網片側で約９０（８０〜１００）箇所、網両端で約１８０（１６０〜２００箇所）の縫着点が形成される。
図１は半目糸と耳綱を海苔閂止めミシンで縫着する際の一例としての斜視図を、図２はその図１を正面から見た図を示しており、半目糸Ｄの菱目に耳綱Ｃを通したかたちで下板Ｂの上に半目糸と耳綱を置き、上方から押さえ部材Ａで固定してミシン針Ｅを使って縫着作業を行う。
【００１５】
本発明における縫着パターンは、該縫着の縫い形状を設定するために、海苔網閂止めミシンにその形状パターンをプログラムすることで自動的に実施することが可能となる。本発明の縫着パターンには、半目糸に対する巻き縫合が必須的に組み込まれたプログラムを採用したものとなる。
【００１６】
本発明の千鳥縫合とは、千鳥閂止めとも呼ばれ、図３（ａ）に示す様な針落ち形状で、耳綱の長手方向に向かってジグザク形状にミシン縫い（５〜１５往復）されながら半目糸が耳綱に縫着されるものであり、縫い幅１〜４ｍｍ、縫い長さ１０〜２５ｍｍが通常である。
【００１７】
本発明の線縫合とは、線閂止めとも呼ばれ、図３（ｂ）に示す様な針落ち形状で、耳綱の横手方向（短手方法）に向かってジグザク形状にミシン縫い（１〜３往復）されながら半目糸が耳綱に縫着されるものであり、縫い幅１０〜２５ｍｍ、縫い長さ０．１〜０．５ｍｍが通常である。
【００１８】
本発明の半目糸に対する巻き縫合とは、図３（ｃ）に示す様な針落ち形状で、半目糸を縫い糸で巻きながら耳綱に半目糸を縫着するものである。
【００１９】
本発明の半目糸に対する巻き縫合のミシン縫い針動作については、破断強度を向上させる点で、耳綱（針落ち点１）、半目糸の傍ら（針落ち点２）、半目糸の反対側の傍ら（針落ち点３）の３点を順番に連続して針落ちするような巻き縫合の反復動作〔図３（ｃ）の三角形を描くような針動線で、針落ち点１→２→３→１に戻る〕を組み込むのが好ましく、更には、その反復動作（三角形を描くような針動線）の向きが交互に変化する（針落ち点１→２→３→１→３→２→１に戻る）のが特に好ましい。そして、その針落ち点が０．５〜１．０ｍｍの間隔でずれて同一点に重ならない（針落ち点１→２→３→４）のが、地糸切れ防止の点で好ましい。
【００２０】
本発明の千鳥縫合、線縫合と半目糸に対する巻き縫合の組み合わせとは、図３（ｄ）に示す様の針落ち形状で、縫合３種類で耳綱に半目糸を縫着するものであり、糸のほつれがなく閂止めが安定する点から「線縫合、半目糸に対する巻き縫合、千鳥縫合の順番」で実施するのが好ましい。また、柔軟性に優れた縫着が可能となる点で、図３（ｅ）に示す様の針落ち形状で、同一菱目の２辺からなる半目糸の各辺（各１本毎）に独立して巻き縫合するのが特に好ましい。
そして、組み合わせた巻き縫合の巻き回数（縫着１箇所あたり）において、強度・柔軟性・作業性を兼ねた条件として３〜８回が好ましく、強度面が更に優れている点で４〜６回が特に好ましい。
【００２１】
本発明に使用される有結節網の網地は、特に限定されず、例えば、原糸となるビニロン、ナイロン、ポリエチレン、ポリプロピレン及びポリエステルの繊維をダブラー機で撚り糸にして、その撚り糸を編網機にかけて製造される。
【００２２】
本発明に使用される耳綱は、特に限定されず、例えば、原糸となるビニロン、ナイロン、ポリエチレン、ポリプロピレン及びポリエステルの繊維をレア−機にかけて、上撚り及び下撚りして製造される。
【００２３】
本発明のミシン縫いに使用される縫い糸は、特に限定されず、例えば、原糸がビニロン、テトロンの繊維を用いることができ、耐候性及び引っ張り強度の点でテトロンが好ましい。
【実施例】
【００２４】
次に、本発明を、試験例（実施例及び比較例）を挙げて更に詳細に説明する。
【００２５】
〔試験例１：実施例１〜８及び比較例１〜３〕
網地、耳綱及び縫い糸（テトロン１０番手又はテトロン８番手）を用い、表１の各縫着条件によるミシン縫い（ＪＵＫＩ社製ＬＫ−１９００Ａ、縫いスピード２，０００、糸張力５０）を行い、実施例１〜８及び比較例１〜３の縫着サンプルを作成し、以下の方法による破断試験、柔軟試験及び作業性評価を実施した。
【００２６】
［破断試験］強力試験機（島津製作所社製ＡＧ−１）の固定具（２箇所１組）に、同一縫着部の耳綱１点と半目糸１点をセット（各々１箇所）し、固定具を開くように作動させて縫着部が引き裂かれたときの最大点強力（ｋｇｆ）を測定した。この測定操作を同一海苔網の縫着部各々１０箇所で実施し、最小及び最大測定値を除外した８測定値を平均して、破断強力を得た。
【００２７】
［柔軟試験］同一縫着部の耳綱１点と半目糸１点を、片方の手ともう片方の手で各々つまみ、半目糸側の手を左右上下及び円を描く様に動かして縫着部の柔軟性を従来条件（比較例１）との比較により官能評価した（評価基準；◎「従来より柔軟性に富む」、〇「従来と同等の柔軟性」、△「従来よりやや劣る柔軟性」、×「従来より柔軟性に劣る」）。
【００２８】
［作業性評価］耳綱と半目糸をミシンで縫着する作業に要する時間を測定し、従来条件（比較例１：１箇所当たりの縫着時間３秒）との比較により評価した（評価基準；◎「従来より短時間」、〇「従来と同等の時間」、△「従来より１秒長い時間」、×「従来より２秒長い時間」）。
これらの結果を表１に記載した。
【００２９】
【表１】
2014198031.tif 000003
【００３０】
上記表１の結果から明らかなように、テトロン１０番手の縫い糸を使用し、従来の縫合パターンである千鳥縫合、線縫合を往復で行い縫い回数を（従来条件の比較例１から）２倍に増加させた比較例２では、破断強力が従来条件より少し上がった（１５％増加）だけで、柔軟性及び作業性も低下した。
【００３１】
それに対し、実施例１〜７の千鳥縫合、線縫合及び半目糸に対する巻き縫合を組み合わせた縫着パターンの縫着サンプルは、破断強力が従来条件より３０％以上増加した。そして、巻き回数が３〜８回である実施例２〜５の縫着サンプルは、柔軟性及び作業性の低下をまねくことなく、破断強力の向上が顕著であることが判明した（従来条件より５６〜９０％増加）。しかも、実施例３〜６の様に、同一菱目の２辺からなる半目糸の各辺（各１本毎）に独立して巻き縫合を行うと、従来条件よりも柔軟性に優れた縫着が可能であることが判明した。
【００３２】
また、縫着１箇所の巻き縫合を１０回及び１２回（実施例６及び７）と増やすと、作業性が低下するだけでなく、柔軟性及び破断強力が却って低下していく傾向が見られた。
尚、縫い糸を太く（テトロン８番手）した縫着サンプルの比較（比較例３と実施例８）においても、上述の本発明縫着方法の効果を同様に確認することができた。
【００３３】
〔試験例２：実施例９、１０及び比較例４〕
網地、耳綱及び縫い糸（テトロン１０番手）を用い、表２の各縫着条件によるミシン縫い（ＪＵＫＩ社製ＬＫ−１９００Ａ、縫いスピード２，０００、糸張力５０）を行い、実施例９、１０及び比較例４の海苔網（各１枚作成、１枚当たりの縫着箇所９２×２）を試作し、海苔養殖漁場（海域）でのフィールド試験（２ヶ月間の養殖試験）を行い、網地半目糸と耳綱の縫着状況及び海苔の生育評価の調査を実施した。
【００３４】
縫着状況の調査は、フィールド試験終了後の海苔網１枚の破断等（縫い糸緩み、縫い糸切れ及び半目糸切れ）した縫着部の数を目視で計数し、その破断率を求めた。また、海苔の生育評価は、フィールド試験中の海苔葉体長さを、従来条件の海苔網（比較例４）と目視で比較し判定した。
これらの結果を表２に記載した。
【００３５】
【表２】
2014198031.tif 000004
【００３６】
上記表２の結果から明らかなように、実施例（９及び１０）の千鳥縫合、線縫合及び半目糸に対する巻き縫合（巻き回数：３及び４）を組み合わせた縫着パターンの試作海苔網は、従来条件の試作海苔網（比較例４）より、海苔網の縫着状況が良好であった。また、同一菱目の２辺からなる半目糸の各辺（各１本毎）に独立して巻き縫合を施した試作海苔網（実施例１０）は、海苔の生育にも良好な影響を与えることが判明した。
【産業上の利用可能性】
【００３７】
本発明は、海苔養殖に供する海苔網として要求される耳綱と半目糸の縫着部においての耐久性及び一体の網としてのフレキシブルさを兼ね備え、網製造効率の良い有結節の海苔網及びその縫着方法の提供を可能とするものである。
【符号の説明】
【００３８】
Ａ    ミシンの押さえ部材
Ｂ    ミシンの下板
Ｃ    耳綱
Ｄ    半目糸
Ｅ    ミシン針
１    針落ち点１
２    針落ち点２
３    針落ち点３
４    針落ち点４
【図１】
2014198031.tif 000005
【図２】
2014198031.tif 000006
【図３】
2014198031.tif 000007
【図４】
2014198031.tif 000008
【図５】
2014198031.tif 000009